(57)【要約】【課題】施設の空間において温熱環境に対する要件が異なる複数人のそれぞれを快適にするように空調を行う制御システムを提供する。【解決手段】施設において送風機構２１０による送風の制御を行う制御システム１０は、施設内の第１領域及び第２領域それぞれの温度調節の目標となる設定温度を示す温度情報を取得する取得部１３０と、温度情報が示す、第１領域及び第２領域それぞれの設定温度の温度差に応じて、第１領域と第２領域との間に送風機構２１０により送出する気流の風量に係る制御を行う制御部１４０とを備える。【選択図】図２
2016188746.tif 000002
【特許請求の範囲】
【請求項１】
施設において送風機構による送風の制御を行う制御システムであって、
前記施設内の第１領域及び第２領域それぞれの温度調節の目標となる設定温度を示す温度情報を取得する取得部と、
前記温度情報が示す、第１領域及び第２領域それぞれの前記設定温度間の温度差に応じて、前記送風機構により前記第１領域と前記第２領域との間に送出する気流の風量に係る制御を行う制御部とを備える
制御システム。
【請求項２】
前記送風機構は、複数の風量のうち選択した風量で送風する機能を有し、
前記制御部は、温度差と前記複数の風量それぞれとを対応付けた所定の風量情報を参照して、第１領域及び第２領域それぞれの前記設定温度間の温度差に応じて風量を選択し、選択した当該風量で気流を送出させるように前記送風機構を制御する
請求項１記載の制御システム。
【請求項３】
前記制御システムは更に、
複数のユーザについて、ユーザ毎の設定温度を示すユーザ情報、及び、ユーザ毎の認証用情報を記憶する記憶部と、
前記認証用情報を参照して前記施設内に所在する２人以上のユーザを識別するユーザ認証部とを備え、
前記取得部は、前記ユーザ認証部により識別されたユーザそれぞれの設定温度を前記ユーザ情報に基づいて特定することにより、前記温度情報の前記取得を行う
請求項１又は２記載の制御システム。
【請求項４】
前記ユーザ認証部は、前記施設内に所在する２人以上のユーザを識別して当該各ユーザの所在位置を特定し、
前記制御部は更に、前記ユーザ認証部により特定された、各ユーザの所在位置に応じて、前記送風機構により気流を送出する向き又は気流を送出する位置に係る制御を行う
請求項３記載の制御システム。
【請求項５】
前記ユーザ認証部は、前記施設内に所在する２人以上のユーザを識別して当該各ユーザの所在位置の特定を繰り返し、
前記制御部は、所定単位時間あたりの前記各ユーザの所在位置の変化が所定基準より小さいと判定した場合に、前記風量をゼロより大きくするように制御を行う
請求項３又は４記載の制御システム。
【請求項６】
前記風量情報は、温度差が大きいほど、多い風量を対応付けた情報であり、
前記制御部は、前記温度情報が示す、第１領域及び第２領域それぞれの前記設定温度間の温度差が大きいほど、多い風量を選択する
請求項２記載の制御システム。
【請求項７】
前記取得部は更に、前記第１領域及び前記第２領域の間の境界位置を特定するための位置情報を取得し、
前記制御部は更に、前記位置情報に応じて、前記送風機構により気流を送出する向き又は気流を送出する位置に係る制御を行う
請求項１〜３のいずれか一項に記載の制御システム。
【請求項８】
前記制御部は、前記施設内に所在する２人のユーザ間の距離が一定閾値を超えるか否かを判定し、一定閾値を超えると判定した場合に限って前記風量をゼロより大きくするよう前記制御を行う
請求項１〜７のいずれか一項に記載の制御システム。
【請求項９】
前記送風機構は、複数のエア吹出口からエアを吹き出すエアカーテンである
請求項１〜８のいずれか一項に記載の制御システム。
【請求項１０】
前記取得部は、前記施設内に設置された空調機器から前記温度情報を取得する
請求項１又は２記載の制御システム。
【請求項１１】
前記取得部は更に、前記施設内の湿度に関する湿度情報を取得し、
前記制御部は、前記湿度情報に応じて、前記風量に係る制御を行う
請求項１記載の制御システム。
【請求項１２】
施設において送風機構による送風の制御を行う制御方法であって、
前記施設内の第１領域及び第２領域それぞれの温度調節の目標となる設定温度を示す温度情報を取得する取得ステップと、
前記温度情報が示す、第１領域及び第２領域それぞれの設定温度間の温度差に応じて、前記第１領域と前記第２領域との間に前記送風機構により送出する気流の風量に係る制御を行う制御ステップとを含む
制御方法。
【請求項１３】
施設において送風機構による送風の制御を行う制御装置におけるプロセッサに制御処理を実行させるための制御プログラムであって、
前記制御処理は、
前記施設内の第１領域及び第２領域それぞれの温度調節の目標となる設定温度を示す温度情報を取得する取得ステップと、
前記温度情報が示す、第１領域及び第２領域それぞれの設定温度間の温度差に応じて、前記第１領域と前記第２領域との間に前記送風機構により送出する気流の風量に係る制御を行う制御ステップとを含む
制御プログラム。
【発明の詳細な説明】
【技術分野】
【０００１】
本発明は、送風機構の制御を行う制御システム、並びに、この制御システムで用いられる制御方法及び制御プログラムに関する。
【背景技術】
【０００２】
従来、建物の吹き抜け空間の冷房空調が行われている場合において、下側空間部と上側空間部との境界部にエア吹出口からエアを吹き出してエアによるカーテンを形成することで空気の流通を遮断する空調システムが知られている（特許文献１参照）。
【先行技術文献】
【特許文献】
【０００３】
【特許文献１】特開２０１２−２４７１０１号公報
【発明の概要】
【発明が解決しようとする課題】
【０００４】
ところで、住宅においてリビング又はダイニングに居る人を見ながら調理できる対面式キッチンが普及している。また、住宅での調理の他にも、一般に、住宅、オフィスその他の施設における部屋等の空間で、必要に応じてコミュニケーションも可能な程度の距離を保って２人以上の人が個別に活動等を行う場面は多々ある。このような場面において、その部屋等に居る全員が快適となるように空調を行うことが難しい場合がある。温熱環境に対する各人の要件（好みの温度、体感温度等）が相違し得るからである。
【０００５】
上述した特許文献１の技術は、冷房空調により人が所在し得る１つの空間（下側空間部）を快適にし得るものの、この技術では、温熱環境に対する要件が異なる複数人のそれぞれを快適にするように空調を行うことができない。
【０００６】
そこで、本発明は、施設において複数人のそれぞれが快適になる可能性を高めるために、エアカーテン等の送風機構による送風を制御する制御システムを提供することを目的とする。また、本発明は、この制御システムで用いられる制御方法及び制御プログラムを提供することを目的とする。
【課題を解決するための手段】
【０００７】
上記目的を達成するために本発明の一態様に係る制御システムは、施設において送風機構による送風の制御を行う制御システムであって、前記施設内の第１領域及び第２領域それぞれの温度調節の目標となる設定温度を示す温度情報を取得する取得部と、前記温度情報が示す、第１領域及び第２領域それぞれの前記設定温度間の温度差に応じて、前記送風機構により前記第１領域と前記第２領域との間に送出する気流の風量に係る制御を行う制御部とを備える。
【０００８】
また、上記目的を達成するために本発明の一態様に係る制御方法は、施設において送風機構による送風の制御を行う制御方法であって、前記施設内の第１領域及び第２領域それぞれの温度調節の目標となる設定温度を示す温度情報を取得する取得ステップと、前記温度情報が示す、第１領域及び第２領域それぞれの設定温度間の温度差に応じて、前記第１領域と前記第２領域との間に前記送風機構により送出する気流の風量に係る制御を行う制御ステップとを含む。
【０００９】
また、上記目的を達成するために本発明の一態様に係る制御プログラムは、施設において送風機構による送風の制御を行う制御装置におけるプロセッサに制御処理を実行させるための制御プログラムであって、前記制御処理は、前記施設内の第１領域及び第２領域それぞれの温度調節の目標となる設定温度を示す温度情報を取得する取得ステップと、前記温度情報が示す、第１領域及び第２領域それぞれの設定温度間の温度差に応じて、前記第１領域と前記第２領域との間に前記送風機構により送出する気流の風量に係る制御を行う制御ステップとを含む。
【発明の効果】
【００１０】
本発明の一態様に係る制御システム、制御方法は、施設において温熱環境に対する要件が異なる複数人のそれぞれを快適にする可能性を高め得る。また、本発明の一態様に係る制御プログラムが実行されて施設において送風の制御が実施されることにより、その施設において複数人のそれぞれが快適になる可能性が高まる。
【図面の簡単な説明】
【００１１】
【図１】実施の形態１に係る制御システムの制御下で送風等が実施される空間のイメージ図である。
【図２】実施の形態１に係る制御システムの機能ブロック図である。
【図３】ユーザ情報の構成及び内容例を示す図である。
【図４】認証用情報の構成及び内容例を示す図である。
【図５】風量情報の構成及び内容例を示す図である。
【図６】実施の形態１に係る制御装置における制御処理の一例を示すフローチャートである。
【図７】実施の形態２に係る制御システムの制御下で送風を行う送風機構のエア吹出口を例示する図である。
【図８】実施の形態２に係る制御システムの機能ブロック図である。
【図９】ユーザインタフェース装置の入力画面例を示す図である。
【図１０】実施の形態２に係る制御装置における制御処理の一例を示すフローチャートである。
【図１１】実施の形態３に係る制御システムの機能ブロック図である。
【図１２】実施の形態３に係る制御装置における制御処理の一例を示すフローチャートである。
【図１３】制御システムの変形例で用いられる風量情報の構成及び内容例を示す図である。
【図１４】制御システムの変形例に係る制御装置における制御処理の一例を示すフローチャートである。
【発明を実施するための形態】
【００１２】
（実施の形態１）
以下、実施の形態について、図面を参照しながら説明する。ここで示す実施の形態は、いずれも本発明の一具体例を示すものである。従って、以下の実施の形態で示される数値、形状、材料、構成要素、構成要素の配置及び接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１３】
以下、本発明の一実施形態に係る制御システムについて説明する。
【００１４】
（構成）
図１は、実施の形態１に係る制御システム１０の制御下で送風等が実施される空間のイメージ図である。同図の例は、一施設である住宅におけるリビング及び対面式キッチンからなる一部屋を示しており、幼児がリビングに所在し、幼児を見ながら保護者が対面式キッチンにおいて調理をしている場面を表している。制御システム１０は、制御装置１００、キッチンに設置された空調機器３００ａ、リビングに設置された空調機器３００ｂ、エアカーテンである送風機構２１０、無線機９０ａ、９０ｂ等を含んで構成される。送風機構２１０は、キッチン及びリビングの両領域の境界にエア（空気、気流）によるカーテンを形成し得る。なお、制御システム１０は、例えば、住宅における電力等のエネルギー管理をするＨＥＭＳ（Home Energy Management System）である。ＨＥＭＳにおいては、例えば電力消費の抑制等のために、住宅における１台以上のＨＥＭＳ機器（空調機器３００ａ，３００ｂ、送風機構２１０等）を、ＨＡＮ（Home Area Network）を介してＨＥＭＳコントローラ（制御装置１００）が制御する。ＨＥＭＳでは、ＨＥＭＳ機器による電力の需給の状態を測定して、その測定結果に基づき住宅における電力の需給の状態を、モニター、タブレット（不図示）等に表示し得る。また、ＨＥＭＳでは、例えば空調機器３００ａ、３００ｂの設定温度等の情報を、モニター等に表示し得る。以下、制御システム１０について、住宅における温熱環境を整える（快適にする）ための送風等の制御に注目して説明する。
【００１５】
図１は、送風機構２１０がエア吹出口２１０ａ〜２１０ｃからエアを吹き出してエアによるカーテンを形成している様子を示している。また、図１は、空調機器３００ａがキッチンの領域２０ａの温度を略２５℃に保ち、空調機器３００ｂがリビングの領域２０ｂの温度を略２８℃に保っている様子を示している。エアによるカーテンは、温熱環境を分離する面において間仕切りとしてのカーテンの機能を発揮するが、エアが無色透明であるため遮光の機能はない。これにより、エアによるカーテンを挟んだユーザ間では互いを見ることができる。
【００１６】
制御装置１００は、空調機器３００ａ、３００ｂ、送風機構２１０及び無線機９０ａ、９０ｂと有線又は無線でＨＡＮを介して通信可能であり、送風機構２１０における送風を制御する機能を有する。制御装置１００は、メモリ、通信回路及びＣＰＵ（Central Processing Unit）を備え、ＨＥＭＳコントローラとして機能し得るコンピュータである。メモリは、プログラム及びデータを予め保持しているＲＯＭ、プログラムの実行に際してデータ等の記憶に利用するためのＲＡＭ等であり、例えば不揮発性メモリを含んでいてもよい。ＣＰＵは、メモリに格納されたプログラムを実行することにより通信回路等を制御して各種処理を行う。通信回路は、無線或いはＬＡＮ（Local Area Network）ケーブル、ＰＬＣ（Power Line Communication）等の有線で通信するための回路である。
【００１７】
送風機構２１０は、エア吹出口２１０ａ〜２１０ｃ以外に例えば、ファン、ファンにより生じた気流の流れをエア吹出口２１０ａ〜２１０ｃに導くエアダクト、そのファンの回転等を制御する制御回路等を有する。この制御回路は、指定された風量で、エア吹出口２１０ａ〜２１０ｃからエア（空気、気流）を送出するように制御する回路である。この制御は、例えば、複数の風量のそれぞれに対応してファンの単位時間当たりの回転数を予め定めておき、指定された風量に応じてファンの回転数を選定してその回転数となるようにファンを回転させることにより実行される。風量は、「強」、「中」、「弱」といった程度、或いは、数値でのレベル、立方メートル毎時等の単位をとる値等として表される。例えば、風量としての「強」に対応するファンの回転数は「中」に対応するファンの回転数よりも高く、「中」に対応するファンの回転数は、「弱」に対応するファンの回転数よりも高い。送風機構２１０からの風量については、ファンの回転数により風速を変化させることにより制御する他、例えばエア吹出口の開口面積或いはエアダクトに設けた弁の開口量等を変化させること等により制御することも可能である。
【００１８】
無線機９０ａ、９０ｂは、通信回路を有し、ユーザ（幼児及び保護者）が装着したウェアラブルセンサから無線送信される、認証コードを含むデータ（信号）を受信してそのデータを制御装置１００にＨＡＮを介して伝達する機能を有する。無線機９０ａ、９０ｂは、制御システム１０において、ウェアラブルセンサの信号に基づくユーザ認証によりユーザが所在する領域を検出するために用いられる。例えば、ウェアラブルセンサが無線送信する信号の強度は制限されており、ユーザがキッチンの領域２０ａに所在する場合にはその信号を無線機９０ａのみが受信でき、リビングの領域２０ｂに所在する場合にはその信号を無線機９０ｂのみが受信できる。この他に、各無線機９０ａ、９０ｂがウェアラブルセンサから受信したデータ（信号）とともに受信信号の強度（受信電界強度）を検知して制御装置１００に伝達することで各ユーザの所在する領域を検出するように制御システム１０を構成してもよい。制御装置１００においては、無線機９０ａ、９０ｂから伝えられたデータに基づいて、各ユーザが所在する領域を判別し、その判別結果を利用して送風機構２１０の送風等の制御を行う。
【００１９】
図２は、制御システム１０の機能ブロック図である。図２では、制御装置１００を中心として住宅の部屋における温熱環境を整えるための制御（送風機構２１０等の制御）を実現するための機能面での主な構成要素を示している。
【００２０】
制御装置１００は、送風機構２１０等を制御する制御方法としての制御処理を実行するために、機能面では、図２に示すように記憶部１１０、ユーザ認証部１２０、取得部１３０及び制御部１４０を備える。
【００２１】
記憶部１１０は、メモリの一領域で実現され、ユーザ情報、認証用情報及び風量情報を記憶する機能を有する。図３に、記憶部１１０が記憶するユーザ情報の構成及び内容例を示す。ユーザ情報は、同図に示すように、複数のユーザについてユーザ毎の好みの設定温度を示す情報である。このユーザ情報は、入力装置（不図示）等により、各ユーザにとって快適と感じる温度を設定温度として入力されて、制御装置１００に登録（保持）されて、空調機器及び送風機構の制御に利用される。図３の例は、ユーザ識別子「Ａ」で識別されるユーザの好みの設定温度が２５℃であり、ユーザ識別子「Ｂ」で識別されるユーザの好みの設定温度が２８℃であることを示している。設定温度は、空調機器等によりその温度になるように冷房又は暖房等の制御を行うための目標となる温度である。例えば空調機器は設定温度を記憶し、ユーザは設定温度を随時変更できる。図４に、記憶部１１０が記憶する認証用情報の構成及び内容例を示す。認証用情報は、複数のユーザそれぞれを識別するために用いられる情報であり、ユーザ毎にそのユーザが装着するウェアラブルセンサが送信する認証コードを示す情報である。この認証用情報は、入力装置等により制御装置１００に登録されて利用される。図５に、記憶部１１０が記憶する風量情報の構成及び内容例を示す。同図に示すように風量情報は、温度差と複数の風量それぞれとを対応付けた情報である。温度差の一定の数量毎に、温度差が大きいほど、多い風量が対応付けられている。この風量情報は、予め制御装置１００に記憶されているが、ユーザ等により更新可能としてもよい。
【００２２】
ユーザ認証部１２０は、記憶部１１０に記憶されている認証用情報を用いて無線機９０ａ、９０ｂから伝達される認証コードに基づいて住宅の部屋に所在する各ユーザを識別し、各ユーザの位置（例えば領域２０ａ、領域２０ｂのいずれか）を特定する機能を有する。ユーザ認証部１２０は、各領域に所在するユーザを示す情報（ユーザ識別子）を取得部１３０に伝達する。ユーザ認証部１２０は、通信回路、プログラムを実行するＣＰＵ等により実現される。
【００２３】
取得部１３０は、プログラムを実行するＣＰＵ等により実現され、住宅の部屋における領域２０ａ、領域２０ｂそれぞれの温度（気温）調節の目標となる設定温度を示す温度情報を取得して制御部１４０に伝達する機能を有する。取得部１３０は、ユーザ認証部１２０から各領域に所在するユーザを示す情報（ユーザ識別子）の伝達を受けると、記憶部１１０に記憶されているユーザ情報を参照して、各領域に所在するユーザに対応する設定温度を特定することで、温度情報の取得を行う。
【００２４】
制御部１４０は、取得部１３０から伝達された温度情報が示す、領域２０ａ及び領域２０ｂの設定温度の温度差に応じて、記憶部１１０の風量情報に基づいて、風量を選択し、その風量でエアを送出させるように送風機構２１０を制御する機能を有する。制御部１４０は、更に温度情報に基づいて各空調機器を制御する機能を有する。制御部１４０は、通信回路、プログラムを実行するＣＰＵ等により実現される。制御部１４０は、送風機構２１０における制御回路に対して、選択した風量（例えば「強」、「中」、「弱」のいずれか）を指定した信号を送信することにより、送風機構２１０を制御する。
【００２５】
（動作）
以下、上述の構成を備える制御システム１０の動作例について、制御装置１００の動作を中心に説明する。
【００２６】
図６は、制御装置１００における制御処理の一例を示すフローチャートである。以下、同図に即して制御処理を説明する。
【００２７】
制御装置１００は、ユーザ認証部１２０によるユーザの位置の特定の結果を用いて第１領域と第２領域とに別々のユーザが所在する状態となっているか否かを判別する（ステップＳ１１）。ここで第１領域、第２領域は、それぞれキッチンの領域２０ａ、リビングの領域２０ｂである。ステップＳ１１で第１領域と第２領域とに別々のユーザが所在する状態となっていると判別した場合において、制御装置１００は、その状態が一定時間（例えば数分間）継続したか否かを判別する（ステップＳ１２）。第１領域と第２領域とに別々のユーザが所在する状態が一定時間継続しなければ制御装置１００は、送風等の特段の制御を開始しない。これにより、例えばユーザが第１領域或いは第２領域とその外部との間での移動中である場合には制御が開始されない。
【００２８】
第１領域と第２領域とに別々のユーザが所在する状態が一定時間継続した場合に、ステップＳ１３以後の処理が開始される。
【００２９】
即ち、ステップＳ１２で一定時間継続したと判別した場合に、制御装置１００は、ユーザ認証部１２０で認証（識別）された各ユーザのユーザ情報に基づいて取得部１３０により、第１領域及び第２領域の各設定温度を示す温度情報を取得する（ステップＳ１３）。
【００３０】
続いて、制御装置１００の制御部１４０は、ステップＳ１３で取得された温度情報に基づいて、第１領域の設定温度を空調機器３００ａに送信し、第２領域の設定温度を空調機器３００ｂに送信することにより各空調機器を制御する（ステップＳ１４）。これに対応して、空調機器３００ａ及び空調機器３００ｂは、それぞれ受信した設定温度を目標の温度としてその温度になるように冷房、暖房等の制御を行う。なお、このステップＳ１４での制御の前において空調機器３００ａ及び空調機器３００ｂが、ある温度を目標として稼動していても、稼動していなくてもよい。
【００３１】
例えば第１領域（キッチンの領域２０ａ）にユーザ識別子「Ａ」で識別されるユーザが所在し、第２領域（リビングの領域２０ｂ）にユーザ識別子「Ｂ」で識別されるユーザが所在する場合において、図３に例示した内容のユーザ情報を前提とすると次のようになる。即ち、空調機器３００ａの空調の目標となる温度が２５℃になり、空調機器３００ｂの空調の目標となる温度が２８℃になる。
【００３２】
次に、制御部１４０は、第１領域及び第２領域それぞれの設定温度の差に応じて、風量情報に基づいて、送風機構２１０により送出されるべきエアの風量を選択する（ステップＳ１５）。なお、温度差が無い場合（温度差がゼロである場合）には、風量としてはゼロが選択される。図５に例示した内容の風量情報を前提とすると、例えば温度差が３℃である場合には、風量として「中」が選択される。温度差が大きいほど、送風機構２１０により送出されるエアの風量を多くすることで、第１領域と第２領域との温熱環境を適切に分離することが可能になる。また、第１領域及び第２領域のそれぞれの温熱環境を分離するためには、両領域の温度差が小さいほどエアの風量は少なくて足りる。このため、温度差が小さいときに、例えば送風機構２１０におけるファンの回転数は比較的低くなり、このためファンの回転に要するエネルギーの無駄が押さえられ、また無駄な振動、音等の発生も抑制され得る。
【００３３】
制御部１４０は、選択した風量がゼロ（つまり温度差がゼロ）でない場合には（ステップＳ１６）、選択した風量で送風させるように送風機構２１０を制御する（ステップＳ１７）。また、制御部１４０は、選択した風量がゼロである場合には、ステップＳ１７をスキップして、送風機構２１０への制御つまり送風機構２１０の稼動を行わず、無駄な送風を抑制する。
【００３４】
このように、制御システム１０により、送風機構２１０がエア吹出口２１０ａ〜２１０ｃから適切な風量のエアを吹き出してエアによるカーテンを形成し、キッチンの領域２０ａとリビングの領域２０ｂとをそれぞれ異なる温度に保てるようになる。
【００３５】
（実施の形態２）
以下、上述した制御システム１０を変形して、送風機構２１０の代わりに、より多くのエア吹出口を有するエアカーテンである送風機構２２０を制御するように構成した制御システム１１（図８参照）について説明する。
【００３６】
（構成）
図７は、送風機構２２０のエア吹出口を例示する図である。なお、同図は、制御システム１１において制御される、実施の形態１と同様の空調機器３００ａ、３００ｂも示している。
【００３７】
図７に示すように送風機構２２０は、住宅の部屋の天井全体に亘って散在するエア吹出口２２０ａ〜２２０ｃ・・・エア吹出口２２０ｘ〜２２０ｚを有する。送風機構２２０は、エア吹出口２２０ａ〜２２０ｚ以外に、ファン、ファンにより生じた気流の流れをエア吹出口に導くエアダクト、どのエア吹出口からエアを吹き出すかを選択するための複数の弁、ファンの回転及び弁の開閉等を制御する制御回路等を有する。送風機構２２０は、任意の位置のエア吹出口からエアを吹き出すことができ、エアによりカーテンを形成できる。
【００３８】
図８は、制御システム１１の機能ブロック図である。図８では、住宅の部屋における温熱環境を整えるための制御（送風機構２２０の制御等）を実現するための主な構成要素を示している。
【００３９】
制御システム１１は、制御装置１００ａ、空調機器３００ａ、３００ｂ、送風機構２２０、ユーザインタフェース装置９１を含んで構成される。制御システム１１の構成要素のうち制御システム１０と同じものは同一の符号を付しており、ここでの説明を省略する。
【００４０】
制御装置１００ａは、ハードウェア面においては制御装置１００と同様のコンピュータであり、送風機構２２０等を制御する制御方法としての制御処理を実行するために、機能面では、図８に示すように記憶部１１０ａ、取得部１３０ａ及び制御部１４０ａを備える。
【００４１】
記憶部１１０ａは、メモリの一領域で実現され、実施の形態１で示した風量情報（図５参照）を記憶する機能を有する。
【００４２】
取得部１３０ａは、ユーザインタフェース装置９１から、住宅の部屋における第１領域及び第２領域の間の境界位置を特定するための位置情報と、各領域の温度調節の目標となる設定温度を示す温度情報を取得して制御部１４０ａに伝達する機能を有する。取得部１３０ａは、通信回路、プログラムを実行するＣＰＵ等により実現される。
【００４３】
制御部１４０ａは、取得部１３０ａから伝達された位置情報及び温度情報に基づいて送風機構２２０を制御し、また、温度情報に基づいて空調機器３００ａ、３００ｂを制御する機能を有する。制御部１４０ａは、通信回路、プログラムを実行するＣＰＵ等により実現される。送風機構２２０の制御については、制御部１４０ａは、位置情報に基づいてエアを吹き出すべきエア吹出口の特定を行い、温度情報及び風量情報に基づいて吹き出すエアの風量の選択を行う。制御部１４０ａは、送風機構２２０における制御回路に対して、特定したエア吹出口及び選択した風量を、指定した信号を送信することにより、送風機構２２０を制御する。エア吹出口の指定については例えば各エア吹出口に対して予め定められた識別番号の指定等により行われる。
【００４４】
ユーザインタフェース装置９１は、タブレット、スマートフォン等であり、情報を表示しユーザ（住宅の居住者等）の入力を受け付ける装置である。ユーザインタフェース装置９１は、例えばディスプレイ、プロジェクタ等の表示装置と、タッチパネル、ポインティングデバイス、キーボード等の入力装置と、メモリと通信回路とＣＰＵとを有する。なお、ユーザインタフェース装置９１は、例えばＨＥＭＳにおいて電力の需給の状態を、表示する装置として機能し得る。
【００４５】
図９に、ユーザインタフェース装置９１の入力画面４１０を示す。同図に示すように、入力画面４１０において、住宅の部屋の全領域を表す表示物４１１が表示され、部屋を第１領域（第１空間）と第２領域（第２空間）とに分割する位置を指すための指形のポインタ（カーソル）４１２が表示される。また、この入力画面４１０は、第１領域（第１空間）の設定温度を入力するための入力フィールド４１３ａと第２領域（第２空間）の設定温度を入力するための入力フィールド４１３ｂとを含む。ユーザは、入力装置の操作により指形のポインタを動かして、第１領域及び第２領域の間の境界位置を指定することができる。また、ユーザは、入力装置の操作により入力フィールド４１３ａ、４１３ｂに入力することにより、第１領域及び第２領域それぞれの設定温度を指定することができる。ユーザインタフェース装置９１は、ユーザによる入力がなされた場合には、制御装置１００ａに入力がなされた旨を通知する機能を有する。また、ユーザインタフェース装置９１は、ユーザによる入力画面４１０の操作に応じて第１領域と第２領域との間の境界位置を特定するための位置情報と、各領域についての設定温度を示す温度情報とを生成して制御装置１００ａに伝達する機能を有する。なお、ユーザインタフェース装置９１から制御装置１００ａへの入力があった旨の通知と位置情報の通知と温度情報の通知とは一括してなされてもよい。
【００４６】
（動作）
以下、上述の構成を備える制御システム１１の動作例について、制御装置１００ａの動作を中心に説明する。ここでは、住宅の部屋において空調機器３００ａが第１領域側に設置され、空調機器３００ｂが第２領域側に設置されているものとして説明する。
【００４７】
図１０は、制御装置１００ａにおける制御処理の一例を示すフローチャートである。以下、同図に即して制御処理を説明する。
【００４８】
ユーザインタフェース装置９１がユーザによる入力を受けると、制御装置１００ａは、ユーザによる入力がなされた旨の通知を受けて（ステップＳ２１）、ユーザインタフェース装置９１から温度情報を取得する（ステップＳ２２）。例えば、ユーザによりユーザインタフェース装置９１の入力画面４１０に対して、図９に例示したような入力がなされたものとする。この場合には、制御装置１００ａがユーザインタフェース装置９１から取得する温度情報は、第１空間の設定温度として２５℃を示し、第２空間の設定温度として２８℃を示すものとなる。
【００４９】
制御装置１００ａの制御部１４０ａは、取得した温度情報に基づいて第１領域の設定温度を空調機器３００ａに送信し、第２領域の設定温度を空調機器３００ｂに送信することにより各空調機器を制御する（ステップＳ２３）。これに対応して、空調機器３００ａ及び空調機器３００ｂは、それぞれ受信した設定温度を目標の温度としてその温度になるように冷房、暖房等の制御を行う。
【００５０】
また、制御部１４０ａは、ユーザに指定された第１領域と第２領域との間の境界位置を示す位置情報をユーザインタフェース装置９１から取得して、その位置情報に基づいて送風が行われるべき送風機構２２０におけるエア吹出口を特定する（ステップＳ２４）。例えば制御装置１００ａは、各エア吹出口を識別番号で識別してそれぞれの設置位置を予め記憶しておき、その設置位置をある座標空間に対応付けて描いた画像をユーザインタフェース装置９１に表示させ、その座標空間での境界位置を示す位置情報を取得する。これにより、位置情報に基づいて、その境界位置で示される境界線に沿ったエア吹出口（境界線から０．３メートル以内等といった一定の近距離内にあるエア吹出口）を特定する。
【００５１】
続いて、制御部１４０ａは、第１領域及び第２領域それぞれの設定温度の差、風量情報に基づいて、送風機構２２０により送出されるべきエアの風量を選択する（ステップＳ２５）。なお、温度差が無い場合（温度差がゼロである場合）には、風量としてはゼロが選択される。
【００５２】
制御部１４０ａは、選択した風量がゼロ（つまり温度差がゼロ）でない場合には（ステップＳ２６）、ステップＳ２４において特定したエア吹出口からステップＳ２５において選択した風量で送風させるように送風機構２２０を制御する（ステップＳ２７）。制御部１４０ａは、例えばエア吹出口の識別番号及び風量を示す情報を送信することで制御を行う。これにより送風機構２２０は、ユーザの入力に応じた位置で第１領域と第２領域との温熱環境を分離し、その分離に必要な程度の風量のエアを送出するように、エアによるカーテンを形成する。
【００５３】
また、制御部１４０ａは、ステップＳ２６において、選択した風量がゼロである場合には、ステップＳ２７をスキップして、送風機構２２０への制御つまり送風機構２２０の稼動を行わず、無駄な送風を抑制する。
【００５４】
このように、制御システム１１では送風機構２２０が一部のエア吹出口から適切な風量のエアを吹き出してエアによるカーテンを形成するので、ユーザは、住宅の部屋内を、互いに異なる温熱環境となる、任意の大きさの複数の領域に、分離できるようになる。
【００５５】
（実施の形態３）
以下、上述した送風機構２２０を制御する制御システム１１を変形した制御システム１２について説明する。
【００５６】
（構成）
図１１は、制御システム１２の機能ブロック図である。図１１では、住宅の部屋における温熱環境を整えるための制御（送風機構２２０の制御等）を実現するための主な構成要素を示している。
【００５７】
制御システム１２は、制御装置１００ｂ、空調機器３００ａ、３００ｂ、送風機構２２０、撮像装置９２を含んで構成される。制御システム１２の構成要素のうち制御システム１０、１１と同じものは同一の符号を付しており、ここでの説明を省略する。ユーザは、所望の設定温度を空調機器３００ａ、３００ｂに直接設定して空調機器３００ａ、３００ｂを稼動させることができる。
【００５８】
撮像装置９２は、カメラ及び通信回路を備え、住宅の部屋におけるユーザ（人）の所在位置を検出するために用いられる。撮像装置９２は、例えば部屋の天井等に設置されたカメラにより逐次撮影した赤外線画像（或いは可視光画像）を制御装置１００ｂに逐次送信する機能を有する。
【００５９】
制御装置１００ｂは、ハードウェア面においては制御装置１００ａと同様のコンピュータであり、送風機構２２０等を制御する制御方法としての制御処理を実行するために機能面では図１１に示すように記憶部１１０ｂ、取得部１３０ｂ及び制御部１４０ｂを備える。
【００６０】
記憶部１１０ｂは、メモリの一領域で実現され、実施の形態１で示した風量情報（図５参照）を記憶する機能を有する。
【００６１】
取得部１３０ｂは、空調機器３００ａ、３００ｂから、その空調機器に設定（記憶）されている設定温度を示す温度情報を取得して制御部１４０ｂに伝達する機能を有する。また、取得部１３０ｂは、撮像装置９２から画像（画像データ）を受け取り、画像から一定条件下でユーザの所在位置を分離する境界の位置を示す位置情報を取得して、制御部１４０ｂに伝達する機能を有する。なお、取得部１３０ｂは、画像処理によりユーザの所在位置を検出して、ユーザが予め定められた閾値で示される距離以上離れている２人であって一定時間（例えば数分間）移動しない場合に、２人の各所在領域を分離する境界の位置を示す位置情報を算定する。この閾値で示される距離は例えば３メートル等である。また、２人の各所在領域を分離する境界は、住宅の部屋において空調機器３００ａが設置されている第１領域側（図７の右側）と、空調機器３００ｂが設置されている第２領域側（図７の左側）とを２人の間の位置で分離するものである。
【００６２】
制御部１４０ｂは、取得部１３０ｂから伝達された位置情報及び温度情報に基づいて送風機構２２０を制御する機能を有する。制御部１４０ｂは、通信回路、プログラムを実行するＣＰＵ等により実現される。送風機構２２０の制御については、制御部１４０ｂは、実施の形態２で示した制御部１４０ａと同様に、位置情報に基づいてエアを吹き出すべきエア吹出口の特定を行い、温度情報及び風量情報に基づいて吹き出すエアの風量の選択を行う。
【００６３】
（動作）
以下、上述の構成を備える制御システム１２の動作例について、制御装置１００ｂの動作を中心に説明する。
【００６４】
図１２は、制御装置１００ｂにおける制御処理の一例を示すフローチャートである。以下、同図に即して制御処理を説明する。
【００６５】
制御装置１００ｂは、取得部１３０ｂにより、撮像装置９２から逐次送信される画像に基づいて、２人のユーザが一定時間移動しない状態でかつ閾値で示される距離以上離れている状態であるか否かを判別する（ステップＳ３１）。
【００６６】
２人のユーザが一定時間移動しなくて閾値で示される距離以上離れていると判別した場合に、制御装置１００ｂは、各ユーザの位置から第１領域と第２領域とを分離する境界の位置をユーザの間となるように算定してエア吹出口を特定する（ステップＳ３２）。例えば、取得部１３０ｂが、ユーザの間の位置（例えば２人の間の中央）を境界の位置として算定し、その境界の位置を示す位置情報を制御部１４０ｂに伝達する。制御部１４０ｂでは、その位置情報が示す境界に沿ったエア吹出口（天井での境界線から０．３メートル以内等といった一定の近距離内にあるエア吹出口）を特定する。
【００６７】
また、取得部１３０ｂは、第１領域側に設置されている空調機器３００ａと第２領域側に設置されている空調機器３００ｂとから設定温度を受信することにより温度情報として取得して、その温度情報を制御部１４０ｂに伝達する（ステップＳ３３）。
【００６８】
制御部１４０ｂは、取得部１３０ｂからの温度情報に示される空調機器３００ａ及び空調機器３００ｂの各設定温度の差に応じて、風量情報に基づいて、送風機構２２０により送出されるべきエアの風量を選択する（ステップＳ３４）。例えば図５に例示する風量情報を用いることを前提とすると、ユーザが空調機器３００ａ、３００ｂに設定した設定温度がそれぞれ２５℃、２８℃であった場合においては、温度差が３℃であるため、風量として「中」が選択される。なお、温度差が無い場合（温度差がゼロである場合）には、風量としてはゼロが選択される。
【００６９】
制御部１４０ｂは、選択した風量がゼロ（つまり温度差がゼロ）でない場合には（ステップＳ３５）、ステップＳ３２において特定したエア吹出口からステップＳ３４において選択した風量で送風させるように送風機構２２０を制御する（ステップＳ３６）。制御部１４０ｂは、例えば特定したエア吹出口の識別番号及び風量を示す情報を送信することで制御を行う。これにより送風機構２２０は、２人のユーザそれぞれの所在位置に応じた位置で第１領域と第２領域との温熱環境を分離し、その分離に必要な程度の風量のエアを送出するように、エアによるカーテンを形成する。
【００７０】
また、制御部１４０ｂは、ステップＳ３５において、選択した風量がゼロである場合には、ステップＳ３６をスキップして、送風を停止させるよう送風機構２２０を制御する（ステップＳ３７）。なお、ステップＳ３７において既に送風機構２２０の送風が停止している場合には特段の処理を行わない。
【００７１】
また、ステップＳ３１において、２人のユーザが一定時間移動しない状態でかつ閾値で示される距離以上離れている状態ではないと判別した場合にも、制御部１４０ｂは、送風機構２２０の送風を停止させる制御を行う（ステップＳ３７）。このため、ユーザが移動している状態或いは閾値の距離ほど離れていない状態の場合には、送風機構２２０による送風は停止する。
【００７２】
ステップＳ３６、Ｓ３７により送風機構２２０を制御した後、制御装置１００ｂにおいては再びステップＳ３１からの処理が繰り返される。なお、ステップＳ３６において、既に送風機構２２０を制御している状態から変更する必要がない場合には、制御装置１００ｂの制御部１４０ｂは、エア吹出口の識別番号及び風量を示す情報の送信を省略し得る。このような処理の繰り返しにより、ユーザが空調機器３００ａ、３００ｂの設定温度を変更するとそれに対応して制御装置１００ｂが風量を選択して送風機構２２０を制御することになり、送風機構２２０から送風されるエアの風量が変更され得る。
【００７３】
このように、制御システム１２では、２人のユーザが同じ部屋の別々の場所において作業するような場面において、適量の風量のエアによるカーテンを形成して、それぞれのユーザの居場所の温熱環境を分離することができる。また、例えばユーザが互いに近寄って一緒に共同作業等を行っている場面においてはその共同作業を阻害しないように送風が停止される。
【００７４】
（他の実施の形態等）
以上、実施の形態１〜３により制御システム１０〜１２について説明したが、上述した実施の形態は一例にすぎず、各種の変更、付加、省略等が可能であることは言うまでもない。
【００７５】
実施の形態１では、ウェアラブルセンサから無線送信される信号を無線機で受信することでユーザ認証を行ってユーザが所在する領域を検出することとした。このウェアラブルセンサの代わりに、無線通信により端末識別子（端末ＩＤ）を送信するスマートフォン等の携帯端末を用いることとしてもよい。また、ＲＦＩＤ（Radio Frequency Identifier）技術を用いてユーザが所持するＲＦタグ（例えばアクティブタグ）によりユーザの所在位置を検出することとしてもよい。また、実施の形態３では、画像からユーザの所在位置を検出することとしたが、ユーザの所在位置を検出する方法はいかなる方法であってもよく、例えば複数の人感センサ（赤外線センサ等）を部屋に配置して部屋内におけるユーザの位置を検出してもよい。
【００７６】
また、上述の実施の形態では、空調機器を示したが、空調機器は、空間の温度（気温）を調節し得る機器の一例にすぎず、例えば空調機器の代わりにヒーター等を用いてもよい。また、空調機器の代わりに、送風機構が、エア吹出口から、温度を調節したエアを吹き出す（設定温度のエアを吹き出す）ことにより空間の温度を調節することとしてもよい。また、制御システムに、空調機器等の温度を調節し得る機器が含まれなくてもよい。但し、制御システムの制御装置等と通信することができない、制御システムの外部の、温度を調節し得る機器、熱源その他の物をユーザが利用する場合において、上述した設定温度は、ユーザが定めた温度或いはそのユーザの周りから測定される温度等である。即ち、設定温度は、送風機構による送風で分離される温熱環境において、保持されようとする温度（つまり温度調節の目標となる温度）であれば、必ずしも空調機器等の機器に設定（記憶）される温度である必要はない。制御システムにおいては、領域毎の設定温度の差に基づいて送風機構により送出されるエアの風量が制御されることになる。
【００７７】
また、上述の実施の形態では、制御装置１００、１００ａ、１００ｂは、送風機構の制御回路に信号を送信することで送風機構を制御することとしたが、制御装置１００、１００ａ、１００ｂが送風機構の制御回路の機能を担うこととしてもよい。また、制御装置１００〜１００ｂ内における各機能部の機能分担は、どのように変更してもよい。また、制御装置１００、１００ａ、１００ｂが制御システムの外部の装置（サーバ等）と通信することで、制御装置１００、１００ａ、１００ｂにおける上述した処理内容の一部を外部の装置に実行させてもよい。
【００７８】
また、上述の実施の形態３では、自由に空間を分割する例としてユーザが２人の場合を想定して説明したが、ユーザが３人以上であっても住宅の部屋といった空間を複数の領域に分割し得る。例えば分割した個々の領域に、１又は複数のユーザが所在し、かつ、一の領域の各ユーザが他の領域の各ユーザと一定距離より離れるように、３人以上に対応して２つ或いは３つ以上の領域に分割することが可能である。この場合に制御装置は、複数のエア吹出口を備える送風機構に対して、その分割した領域間の境界に沿ったエア吹出口を選択して送風するように制御する。また、上述の実施の形態１では、第１領域と第２領域とが変化せず両領域の境界の位置が変化しない例を示し、実施の形態２、３では第１領域と第２領域との境界の位置が変化し得る例を示したが、３つ以上の領域に分割する場合においても同様である。即ち、３つ以上の領域に分割する場合において、領域の境界の位置は、固定されていても変化するものであってもよい。
【００７９】
また、上述の実施の形態では、制御装置が、分離すべき温熱環境である領域毎の設定温度を示す温度情報に基づいて風量（送風機構に送出させるエアの風量）を選択することとした。この他に、例えば、温度情報の他に、領域毎についての湿度に関する条件（つまり保持すべき湿度である設定湿度）を示す湿度情報にも基づいて制御装置が風量を選択するようにしてもよい。この場合には、制御装置は例えば図５に例示する風量情報の代わりに図１３に例示する風量情報を用いることができる。図１３に示す風量情報は、温度情報が示す領域間の温度差と湿度情報が示す領域間の湿度差との組に対して、風量を対応付けた情報である。温度差及び湿度差の一定の数量毎に、温度差が同じならば湿度差が大きいほど、多い風量が対応付けられており、湿度差が同じならば温度差が大きいほど、多い風量が対応付けられている。なお、図１３の例は、数値によるレベルで風量を制御可能な送風機構に対応した例であり、風量の数値が大きいほど、多い風量を表している。制御システムを図１３に示す風量情報を用いるように変形した例における制御装置が送風機構を制御する制御処理は、例えば図１４のフローチャートに示すような内容となる。同図では住宅の部屋に空調機器３００ａ、３００ｂが離れて設置され、空調機器３００ａ側の領域を第１領域、空調機器３００ｂ側の領域を第２領域とし、第１領域と第２領域との間を送風機構によるエアの送出により温熱環境として分離する例を想定している。まず、制御装置は取得部（例えば取得部１３０、１３０ａ、１３０ｂ等）により第１領域及び第２領域それぞれの空調機器３００ａ、３００ｂの設定温度を示す温度情報と設定湿度を示す湿度情報とを取得する（ステップＳ４１）。例えば制御装置が、各空調機器から設定温度及び設定湿度を受信すること或いはユーザの入力する設定温度及び設定湿度を受け付けること等により、温度情報及び湿度情報の取得を行う。続いて制御装置は、制御部（例えば制御部１４０、１４０ａ、１４０ｂ等）により、第１領域及び第２領域それぞれの設定温度の差及び設定湿度の差に応じて風量情報（図１３）に基づいて送風機構で送出されるべきエアの風量を選択する（ステップＳ４２）。なお、温度差がない場合には、風量としてはゼロが選択される。図１３に例示した内容の風量情報に基づくと、例えば、温度差が４℃であり湿度差が２０％であった場合には、風量のレベルとして「４」が選択される。制御装置は、風量がゼロでなければ（ステップＳ４３）、制御部により選択した風量で送風させるように送風機構を制御する（ステップＳ４４）。なお、各空調機器３００ａ、３００ｂは設定温度及び設定湿度となるように空調を行う。これにより、送風機構が送出する適量の風量のエアによりカーテンが形成され、住宅の部屋が温度及び湿度の異なる温熱環境に分離されるようになる。
【００８０】
また、上述の実施の形態で示した制御部１４０、１４０ａ、１４０ｂは、複数の風量毎について温度差と風量とを対応付けた風量情報に基づいて２つの設定温度の差に応じて風量を選択することとしたが、必ずしもこのような風量情報を用いなくてもよい。例えば、温度差から風量を特定するための予め定められた演算、アルゴリズム等を用いることとしてもよい。また風量情報は、研究、理論等に基づいて定めてもよいし、送風機構毎に実験を行うことで温度差に適切な風量を対応付けた風量情報を定めることとしてもよい。
【００８１】
また、上述の実施の形態で示した制御システムは施設内で送風機構による送風の制御を行うものであるところ、上述の実施の形態では施設の例として住宅の部屋を示したが、施設は、住宅に限られず、例えば工場、ビル、競技場、ホール、駅舎等であってもよい。また、制御システムは、エネルギーの需給に関連した機能（ＨＥＭＳとしての機能）を必ずしも有する必要はなく、即ち、ＨＥＭＳでなくてもよい。
【００８２】
また、上述の実施の形態では送風機構の例として、ゼロ以外の複数の風量を変更可能な送風機構２１０、２２０を例示したが、送風機構は、風量ゼロと風量ゼロ以外との変更が可能であるがゼロ以外の複数の風量の変更はできないものであってもよい。送風機構は、エア吹出口を１つしか備えないものであってもよい。また、送風機構は、温熱環境を分離し得るように送風可能であればよく、単体装置（製品）であっても各種装置或いは部材の集合として構成されるものであってもよく、また、例えばエアカーテンであっても、全館空調換気システムの一部として構成されてもよい。
【００８３】
また、上述の実施の形態では送風機構の例として、複数のエア吹出口からの選択によりエア（空気、気流）の送出位置を変更可能な送風機構２２０を示したが、送風機構は、エア吹出口からエアが吹き出す向きを、例えば羽板の角度を変える等により変更可能でもよい。この場合には、制御システムでは、例えば施設の一空間を２つの領域に分離する境界位置を変更するためにその送風機構におけるエアが吹き出す向きを制御することとしてもよい。
【００８４】
また、上述の実施の形態１で示した制御システム１０において、送風機構２１０に代わりに、送風機構２２０或いはエアの送出する向き又は位置を変更可能な送風機構を制御することとしてもよい。この場合に、制御装置１００の制御部１４０は、ユーザ認証部１２０により特定された各ユーザの所在位置に応じて、その送風機構によりエアを送出する向き又は送出する位置を変更して、ユーザ同士の間にエアが送出されるように制御することとしてもよい。また、実施の形態３の制御システム１２にユーザ認証部１２０を加えてもよい。制御システム１２でユーザ認証部１２０を用いて住宅の部屋内に所在する各ユーザを識別して所在位置を特定し、ユーザ毎に予め登録された設定温度等を用いて、第１領域及び第２領域の空調機器の設定温度を定めることで、空調機器の制御が可能になる。
【００８５】
また、上述の実施の形態では、温度差とは別に、制御システムにおいて送風機構に送風（風量がゼロより大きいエアの送出）させるための一条件の一例として、（ａ）同一空間（部屋等）に複数ユーザが居ること（ステップＳ１１、Ｓ３１）、（ｂ）ユーザの位置変化がないこと（ステップＳ１２、Ｓ３１）、（ｃ）ユーザ間が一定距離以上離れていること（ステップＳ３１）等を示した。これらの各条件が満たされているか否かの判別には、いかなる方法を用いてもよい。また、これらの各条件の全部を用いても一部だけを用いてもよい。また、（ｂ）のユーザの位置変化がないことという条件の具体的な一例としては、所定単位時間（例えば数十秒、数分等）あたりの各ユーザの所在位置の変化が所定基準（例えば１メートル、数メートル等）より小さいことが挙げられる。この位置変化が所定基準より小さいか否かの判定を例えば制御システム１０におけるユーザ認証部１２０がステップＳ１２において実行してもよい。（ｃ）のユーザ間が一定距離以上離れていることという条件の具体的な一例としては、２人のユーザ間の距離が一定閾値（例えば１メートル、数メートル等）を超えることが挙げられる。
【００８６】
また、上述の制御処理の手順（図６、図１０、図１２、図１４参照）の実行順序は、必ずしも、上述した通りの順序に制限されるものではなく、発明の要旨を逸脱しない範囲で、実行順序を入れ替えたりその一部を省略したりすることができる。また、上述の制御処理の手順の全部又は一部は、制御装置１００〜１００ｂ或いは他の装置のハードウェアにより実現されても、ソフトウェアを用いて実現されてもよい。なお、ソフトウェアによる処理は、制御装置１００〜１００ｂ或いは他の装置に含まれるＣＰＵ（プロセッサ）がメモリに記憶された制御用のプログラムを実行することにより実現されるものである。また、そのプログラムを記録媒体に記録して頒布や流通させてもよい。例えば、頒布された制御プログラムを装置にインストールして、装置のＣＰＵ（プロセッサ）に実行させることで、装置に制御処理の全部又は一部を行わせることが可能となる。
【００８７】
また、上述した実施の形態で示した構成要素及び機能を任意に組み合わせることで実現される形態も本発明の範囲に含まれる。
【００８８】
なお、本発明の包括的又は具体的な各種態様には、装置、システム、方法、集積回路、コンピュータプログラム、コンピュータで読み取り可能な記録媒体等の１つ又は複数の組み合わせが含まれる。
【００８９】
以下、本発明の一態様に係る制御システム、及び、この制御システムに関連する制御装置及び制御プログラムの構成、変形態様、効果等について示す。
【００９０】
（１）本発明の一態様に係る制御システムは、施設（例えば住宅の部屋等）において送風機構による送風の制御を行う制御システム１０（或いは制御システム１１、１２等）であって、施設内の第１領域及び第２領域それぞれの温度調節の目標となる設定温度を示す温度情報を取得する取得部１３０（或いは取得部１３０ａ、１３０ｂ）と、温度情報が示す、第１領域及び第２領域それぞれの設定温度間の温度差（つまり第１領域の設定温度と第２領域の設定温度との差）に応じて、送風機構２１０（或いは送風機構２２０）により第１領域と第２領域との間に送出する気流（エア）の風量に係る制御を行う制御部１４０（或いは制御部１４０ａ、１４０ｂ）とを備える。
【００９１】
この構成により、施設における空間を温熱環境として複数の領域に分離し得るため、施設において、温熱環境に対する要件が異なる複数人のそれぞれを、快適にする可能性を高め得る。
【００９２】
（２）例えば、送風機構２１０、２２０は、複数の風量のうち選択した風量で送風する機能を有し、制御部１４０、１４０ａ、１４０ｂは、温度差と複数の風量それぞれとを対応付けた所定の風量情報を参照して、第１領域及び第２領域の設定温度間の温度差に応じて風量を選択し、選択した当該風量で気流を送出させるように送風機構２１０、２２０を制御することとしてもよい。
【００９３】
これにより、施設における空間を温熱環境の面で複数の領域に分離することを、予め定められた温度差と風量との対応関係に基づく適量の風量の送風により実現できるようになる。
【００９４】
（３）例えば、制御システム１０は更に、複数のユーザについて、ユーザ毎の設定温度を示すユーザ情報、及び、ユーザ毎の認証用情報を記憶する記憶部１１０と、認証用情報を参照して施設内に所在する２人以上のユーザを識別するユーザ認証部１２０とを備え、取得部１３０は、ユーザ認証部１２０により識別されたユーザそれぞれの設定温度をユーザ情報に基づいて特定することにより、温度情報の取得を行うこととしてもよい。
【００９５】
これにより、各ユーザがユーザ認証部１２０に識別されるだけで既に記憶されている設定温度が利用されるため、例えば、実施の形態２で示した制御システム１１のように送風の制御に際してユーザが設定温度を入力する必要がなくなる。
【００９６】
（４）例えば、ユーザ認証部１２０は、施設内に所在する２人以上のユーザを識別して当該各ユーザの所在位置を特定し、制御部１４０、１４０ｂは、ユーザ認証部１２０により特定された、各ユーザの所在位置に応じて、送風機構２１０、２２０により気流を送出する向き又は気流を送出する位置に係る制御を行うこととしてもよい。
【００９７】
これにより、各ユーザの位置に応じて、例えばユーザ間を隔てるように空間を複数の領域に分離する境界に沿って気流が送出され得る。
【００９８】
（５）例えば、ユーザ認証部１２０は、施設内に所在する２人以上のユーザを識別して当該各ユーザの所在位置の特定を繰り返し、制御部１４０、１４０ｂは、所定単位時間あたりの前記各ユーザの所在位置の変化が所定基準より小さいと判定した場合に、前記風量をゼロより大きくするように制御を行うこととしてもよい。
【００９９】
これにより、ユーザが移動中でない場合（つまりユーザが滞在しており設定温度を保持できるように温熱環境を分離する必要性が高いと想定される場合）であることを条件として送風がなされるようになる。
【０１００】
（６）例えば、風量情報は、温度差が大きいほど、多い風量を対応付けた情報であり、制御部１４０、１４０ａ、１４０ｂは、温度情報が示す、第１領域及び第２領域それぞれの設定温度間の温度差が大きいほど、多い風量を選択することとしてもよい。
【０１０１】
これにより、分離されるべき各領域の温熱環境の条件に応じて適切な風量の送風がなされるようになる。温度差が小さいほど、例えば送風機構２１０におけるファンの回転数は比較的低くなり、無駄な電力消費が抑制され、振動、音等の発生が抑制され得る。
【０１０２】
（７）例えば、取得部１３０ａ、１３０ｂは、第１領域及び第２領域の間の境界位置を特定するための位置情報を取得し、制御部１４０ａ、１４０ｂは、位置情報に応じて、送風機構２２０により気流を送出する向き又は気流を送出する位置に係る制御を行うこととしてもよい。
【０１０３】
これにより、送風される気流（エア）の位置が制御されるようになり、空間を温熱環境として分離するための境界位置を変更できるようになる。また、例えばユーザは位置情報を制御システムに与えることで送風される気流の位置を指定できるようになる。
【０１０４】
（８）例えば、制御部１４０ｂは、施設内に所在する２人のユーザ間の距離が一定閾値を超えるか否かを判定し、一定閾値を超えると判定した場合に限って送風される風量をゼロより大きくするよう制御を行うこととしてもよい。
【０１０５】
これにより、ユーザ間の距離が一定閾値より近い場合において送風がなされないため、ユーザが共同して作業しているような場面において送風が共同作業の邪魔をすることが抑制される。
【０１０６】
（９）例えば、送風機構は、複数のエア吹出口からエアを吹き出すエアカーテンである。
【０１０７】
これにより、エア吹出口により吹き出るエアの連なった列を形成できるため、そのエアの連なった列により適切に空間の温熱環境を分離し得る。
【０１０８】
（１０）例えば、取得部１３０ｂは、施設内に設置された空調機器３００ａ、３００ｂから温度情報を取得することとしてもよい。
【０１０９】
これにより、各空調機器の設定温度の差に応じた適切な風量の送風により、各空調機器が個別に温度調節を行う領域を分離できる。
【０１１０】
（１１）例えば、取得部１３０、１３０ａ、１３０ｂは更に、施設内の湿度に関する湿度情報を取得し、制御部１４０、１４０ａ、１４０ｂは、湿度情報に応じて、風量に係る制御を行うこととしてもよい。
【０１１１】
これにより、施設の一空間を、温度及び湿度の異なる複数の温熱環境に分離するために適切な風量の送風がなされるようになる。
【０１１２】
（１２）本発明の一態様に係る制御方法は、施設（例えば住宅の部屋等）において送風機構（例えば送風機構２１０、２２０等）による送風の制御を行う制御方法であって、施設内の第１領域及び第２領域それぞれの温度調節の目標となる設定温度を示す温度情報を取得する取得ステップ（例えばステップＳ１３、Ｓ２２、Ｓ３３等）と、温度情報が示す、第１領域及び第２領域それぞれの設定温度間の温度差に応じて、第１領域と第２領域との間に送風機構により送出する気流の風量に係る制御を行う制御ステップ（例えばステップＳ１７、Ｓ２７、Ｓ３６等）とを含む。
【０１１３】
これにより、送風機構の制御で、施設における空間を、温度に差がある複数の領域に分離し得るため、その各領域に分散して所在する各ユーザ（人）にとって快適な温度が実現され得る。
【０１１４】
（１３）本発明の一態様に係る制御プログラムは、施設において送風機構（例えば送風機構２１０、２２０等）による送風の制御を行う制御装置（制御装置１００、１００ａ、１００ｂ等）におけるプロセッサ（ＣＰＵ）に制御処理を実行させるための制御プログラムであって、制御処理は、施設内の第１領域及び第２領域それぞれの温度調節の目標となる設定温度を示す温度情報を取得する取得ステップ（例えばステップＳ１３、Ｓ２２、Ｓ３３等）と、温度情報が示す、第１領域及び第２領域それぞれの設定温度間の温度差に応じて、第１領域と前記第２領域との間に送風機構により送出する気流の風量に係る制御を行う制御ステップ（例えばステップＳ１７、Ｓ２７、Ｓ３６等）とを含む。
【０１１５】
この制御プログラムをコンピュータにインストールすれば、コンピュータが制御装置（例えば制御装置１００、１００ａ、１００ｂ等）として機能し、送風機構による送風を制御することで、施設における空間を、温度に差がある複数の領域に分離し得る。このため、各領域に所在するユーザ（人）にとって快適な温度が実現され得る。
【符号の説明】
【０１１６】
１０、１１、１２  制御システム
１００、１００ａ、１００ｂ  制御装置
１１０、１１０ａ、１１０ｂ  記憶部
１２０  ユーザ認証部
１３０、１３０ａ、１３０ｂ  取得部
１４０、１４０ａ、１４０ｂ  制御部
２０ａ  キッチンの領域（第１領域）
２０ｂ  リビングの領域（第２領域）
２１０、２２０  送風機構
２１０ａ〜２１０ｃ、２２０ａ〜２２０ｃ、２２０ｘ〜２２０ｚ  エア吹出口
３００ａ、３００ｂ  空調機器
【図１】
2016188746.tif 000003
【図２】
2016188746.tif 000004
【図３】
2016188746.tif 000005
【図４】
2016188746.tif 000006
【図５】
2016188746.tif 000007
【図６】
2016188746.tif 000008
【図７】
2016188746.tif 000009
【図８】
2016188746.tif 000010
【図９】
2016188746.tif 000011
【図１０】
2016188746.tif 000012
【図１１】
2016188746.tif 000013
【図１２】
2016188746.tif 000014
【図１３】
2016188746.tif 000015
【図１４】
2016188746.tif 000016